(57)【要約】【課題】従来の技術では、情報システムが表示するアイコンや図形の形状や色彩はオブジェクトの種類により固定的に決めているため、そのオブジェクトの利用度や人気度を容易に把握することができない。【解決手段】オブジェクトへのアクセス度数に応じて表示するアイコンや図形の形状や色彩を変化させる。【効果】情報システムに表示されたアイコンや図形の形状や色彩の違いを見るだけで、利用度や人気度を容易に把握することができる。【選択図】  図１
2004347634.tif 000002
【特許請求の範囲】
【請求項１】
地図の情報を画面に表示すると共に、該画面上に地理的位置が識別できるよう、地籍的構造物の特質を象徴的に示す象徴的図形を表示する手段と、
画面上に表示された象徴的図形が操作手段によって特定されると前記地籍的構造物に関する情報を表示する手段と、
前記象徴的図形が特定された頻度に応じて前記象徴的図形の視覚的な形態を変化させて表示させる手段を有することを特徴とする地理情報表示装置。
【請求項２】
請求項１において、前記象徴的画像が特定された回数を計数する係数手段を有し、前記計数に応じて前記象徴的図形の視覚的な形態を変化させて表示することを特徴とする地理情報表示装置。
【請求項３】
請求項１または２において、前記視覚的な形態の変化は、図形の形状の変化或いは色彩の変化であることを特徴とする地理情報表示装置。
【請求項４】
請求項３において、象徴的な図形の変化と前記頻度とを対応させる管理表を有することを特徴とする地理情報表示装置。
【請求項５】
請求項３または４において、前記視覚的な形態の変化は、前記象徴的画像が特定された度数の累積値に依存することを特徴とする地理情報表示装置。
【請求項６】
請求項５において、前記視覚的な形態の変化は、前記象徴的画像が特定に限定された期間での総和に依存することを特徴とする地理情報表示装置。
【請求項７】
請求項１において、象徴的画像の形状や色彩は、利用者が会員である場合に依存して変化することを特徴とする地理情報表示装置。
【請求項８】
請求項１において、象徴的画像の形状や色彩は、地籍的構造物の提供者が会員である場合に、頻度に依存して変化することを特徴とする地理情報表示装置。
【請求項９】
請求項１において、地籍的構造物は公共施設あるいは店舗であるような地理情報表示装置。
【請求項１０】
地図の情報を画面に表示すると共に、該画面上に地理的位置が識別できるよう、地籍的構造物の特質を象徴的に示す象徴的図形を表示し、
画面上に表示された象徴的図形が操作手段によって特定されると前記地籍的構造物に関する情報を表示し、
前記象徴的図形が特定された頻度に応じて前記象徴的図形の視覚的な形態を変化させて表示させる地理情報表示方法。
【請求項１１】
地理的位置が識別できるように地籍的構造物の特質を象徴的に示す象徴的図形の電子的情報を通信回線を介して提供し、
要求に応じて前記地籍的構造物に関する電子的情報を通信回線を介して提供し、
象徴的図形の視覚的な形態については前記象徴的図形が特定された頻度に応じて変化させて表示するよう電子的情報を通信回線を介して提供する地理情報提供サービス。
【発明の詳細な説明】
【０００１】
【発明の属する技術分野】
本発明は、地理情報表示装置，地理情報表示方法、及び地理情報提供サービスに関し、特に、地理情報システム（ＧＩＳ：Ｇｅｏｇｒａｐｈｉｃ  Ｉｎｆｏｒｍａｔｉｏｎ  Ｓｙｓｔｅｍ）や、インターネットあるいはイントラネット上のＷＥＢサービスのような、アイコンや図形を表示して情報提供を行うシステムにおけるアイコンや図形を表示するのに好適なものに関する。
【０００２】
【従来の技術】
地理情報システムでは、公共施設や店舗等のオブジェクトの位置を示すためにアイコンや図形を地図上の当該位置に重ねて表示する。従来、このアイコンや図形は当該公共施設や店舗等のオブジェクトの種類のみに応じて形状や色彩を固定的に決めている。
【０００３】
また、特開２００３−６６８３２号公報に記載のように、ユーザが指定した時刻に公共施設や店舗等のオブジェクトがサービス中か否かを区別できるように異なる形状あるいは色彩のアイコンや図形を表示する方法もある。しかし、本方法でもオブジェクトの種類およびサービス可否に応じて形状や色彩を固定的に決めている。
【０００４】
【特許文献１】
特開２００３−６６８３２号公報
【０００５】
【発明が解決しようとする課題】
このように、従来の技術では、アイコンや図形の形状や色彩は当該オブジェクトの種類やサービス可否により固定的に決まっている。このため、ユーザは当該アイコンや図形が示す公共施設や店舗等のオブジェクトの種類と指定時刻のサービス可否のみにもとづいて利用する公共施設や店舗等のオブジェクトを決定しなければならない。しかし、利用する公共施設や店舗等のオブジェクトの選択には、当該オブジェクトがどれだけ他の人に利用されているか、人気があるかの情報も重要な要素になる。従来は、情報誌やインターネット掲示板のような他の情報ソースにアクセスすることでそのような情報を得ていた。あるいは、個々のホームページのアクセスカウンタに表示される数値を、いくつものページを切り替えながら比較していた。すなわち、従来の技術では、利用する公共施設や店舗等のオブジェクトを決定するために、ユーザが複数の情報ソースに手間をかけてアクセスしている。
【０００６】
従来の技術では、アイコンや図形の形状や色彩は当該オブジェクトの種類や指定時間のサービス可否により固定的に決めている。この方法では、以下のような課題がある。
（１）利用する公共施設や店舗等のオブジェクトの選択には、当該オブジェクトがどれだけ他の人に利用されているか、人気があるかの情報も重要な要素になる。しかし、従来の技術では複数の情報ソースに手間をかけてアクセスしなければ当該情報は得られない。
（２）上記の情報ソースとしては、情報誌やインターネット掲示板などがある。しかし、一般に、これらの情報ソースが提供する利用度や人気度の情報は、人気投票などのある限定期間における利用度や人気度である。従って、同一人の複数投票などによる作為的な利用度向上、人気度向上に対処することができない。
（３）また、上記の情報ソースとしては、個々のホームページのアクセスカウンタなどがある。しかし、地図上に表示された多数の公共施設や店舗等のオブジェクトに対応するアイコンや図形に全てアクセスして対応するホームページを開いてみないと、所望の情報を得ることができず、手間がかかる。また、いくつものホームページを切り替えて表示しないとアクセスカウンタ値を比較できないため、手間がかかる。
【０００７】
本発明は、上記問題点の少なくとも１つを解決するためのものであり、施設の人気等の情報が視覚的に認識可能となるものを提供することにある。具体的には、地理情報システムや、インターネットあるいはイントラネット上のＷＥＢサービスのような、アイコンや図形を表示して情報提供を行うシステムにおいて、アイコンや図形が示す公共施設や店舗等のオブジェクトの利用度や人気度などを、ユーザが手間をかけずに容易に理解し、比較するための方法および装置を提供する。
【０００８】
【課題を解決するための手段】
上記目的を達成するために、本発明では、地図の情報を画面に表示すると共に、画面上に地理的位置が識別できるよう、地籍的構造物の特質を象徴的に示す象徴的図形を表示し、画面上に表示された象徴的図形が特定されると地籍的構造物に関する情報を表示し、象徴的図形が特定された頻度に応じて象徴的図形の視覚的な形態を変化させて表示させるように構成した。
【０００９】
或いは、上記目的を達成するため、本発明では公共施設や店舗等のオブジェクトのそれぞれにアクセスカウンタを付与し、そのオブジェクトがアクセスされた度数を記録する。記録されたアクセス度数をオブジェクトごとに統計分析し、その結果がある条件を満たした場合は、表示するアイコンや図形の形状や色彩を当該条件に応じて変化させる。
【００１０】
例えば、あるオブジェクトの累積アクセス度数が予め定めた値を上回った場合はアイコンや図形の形状を大きくし、予め定めた値を下回った場合はアイコンや図形の形状を小さくする。
【００１１】
また、例えば、あるオブジェクトの過去１週間のアクセス度数が予め定めた値を上回った場合はアイコンや図形の色彩を暖色系統の色にし、予め定めた値を下回った場合はアイコンや図形の色彩を寒色系統の色にする。
【００１２】
また、例えば、記録されたアクセス度数を統計分析する際には、当該オブジェクトに付与されたアクセスカウンタの度数に、他の情報ソースから得られた情報を加味して分析し、表示するアイコンや図形の形状や色彩を決める。
【００１３】
また、例えば、他の情報ソースから得られた情報のみを用いて分析し、表示するアイコンや図形の形状や色彩を決める。
【００１４】
この際、アイコンや図形の形状や色彩を変化させて表示させるのは、対応する公共施設や店舗等のオブジェクトの運営者が会員として会費を払っている場合に限ることも可能である。
【００１５】
また、この際、アイコンや図形の形状や色彩を変化させて表示させるのは、当該情報を参照しているユーザが会員として会費を払っている場合に限ることも可能である。
【００１６】
以上のように、ユーザは、地理情報システムが表示する地図上や、ＷＥＢサービス画面上に表示されるアイコンや図形の形状や色彩を見ることにより、各アイコンや図形に対応する公共施設や店舗等のオブジェクトの利用度や人気度を容易に理解し、比較することが可能となる。
【００１７】
【発明の実施の形態】
以下、本発明の一実施例を説明する。図１は、本発明を実施するシステムの一構成例を示すもので、サーバである地理情報システム１０１が、ネットワーク１１２に接続された端末に表示する地図上に公共施設や店舗等のオブジェクト（或いは、地籍的構造物と称する。以下同様。）をアイコン（或いは、象徴的図形と称する。以下同様。）や図形を用いて重畳表示するシステムを表わしている。地図表示部１０２は、端末（Ａ）１０３から地理情報システム１０１を利用しているユーザが指定した地図を、当該端末（Ａ）１０３のスクリーン上に表示する。オブジェクト管理部１０４は、端末（Ａ）１０３上に表示されている地図の範囲に含まれる公共施設や店舗等のオブジェクトを抽出する。アイコン生成部１０５は、オブジェクト管理部１０４が抽出したオブジェクトの種類に対応する形状や色彩をもったアイコンや図形を生成する。この際、アイコン生成部１０５は、表示条件管理表１０６に予め登録されている形状や色彩の定義を用いる。この形状や色彩は、同じ種類のオブジェクトであっても、後述する当該オブジェクトのアクセス度数に依存して異なったものを登録しておくことができる。生成されたアイコンや図形は、端末（Ａ）１０３上に表示されている地図のうえに重畳表示される。
【００１８】
端末（Ａ）１０３から本地理情報システム１０１を利用しているユーザは、アクセス機器（Ａ）１０７を用いて、端末（Ａ）１０３上に表示されているアイコンや図形を指示し、当該アイコンや図形に対応するオブジェクトの情報を端末（Ａ）１０３上に表示する。この際、アクセスカウンタ１０８は、当該アイコンや図形に対応するオブジェクトのアクセス度数を１増分する。増分の結果得られたアクセス度数は、アクセス度数管理表１０９に記録される。アクセス度数管理表１０９は、オブジェクト名称１１０および対応する度数１１１の項目を含んでおり、各オブジェクトがこれまで何回アクセスされたかを管理している。
【００１９】
本地理情報システム１０１は、ネットワーク１１２を介して、他のユーザが操作する端末（Ｂ）１１３からもアクセスされる。端末（Ｂ）１１３のユーザが、アクセス機器（Ｂ）１１４を用いて、端末（Ｂ）１１３上に表示されているアイコンや図形を指示すると、当該アイコンや図形に対応するオブジェクトのアクセス度数が１増分され、アクセス度数管理表１０９に記録される。ネットワーク１１２に接続されている他の複数の端末１１５からのアクセスも同様に処理される。端末（Ａ）１０３，端末（Ｂ）１１３、他の複数の端末１１５からのそれぞれのオブジェクトへのアクセス度数は全て集計されて、地理情報システム１０１のアクセス度数管理表１０９に記録される。
【００２０】
前述のように、表示条件管理表１０６には、同じ種類のオブジェクトであっても、当該オブジェクトのアクセス度数によって異なった形状や色彩のアイコンや図形を登録できる。これにより、あるオブジェクトのアクセス度数が表示条件管理表１０６に予め設定されている値を上回ったら、アイコン生成部１０５は現在表示されているアイコンや図形の形状や色彩とは異なった形状や色彩を持ったアイコンや図形を生成し、現在表示されているアイコンや図形の代わりに表示することができる。すなわち、オブジェクトの種類のみではなく、当該オブジェクトの利用度や人気度をアイコンや図形の形状や色彩で表すことができる。
【００２１】
本実施例で説明した地理情報システム１０１を用いることにより、ユーザは地図上に表示された公共施設や店舗等のオブジェクトの利用度や人気度を、アイコンや図形の形状や色彩として把握することができる。このため、ユーザは他の情報ソースを用いなくとも、地図上に表示された複数のオブジェクトの利用度や人気度を手間をかけず容易に理解し、比較することができる。
【００２２】
以下、本発明が端末のディスプレイ上でどのように実施されるかの一例を説明する。図２は、端末（Ａ）１０３のディスプレイに地図２０１が表示され、当該地図の表示範囲に含まれるレストランの位置がアイコン２０２から２０５で重畳表示されている様子を示す。この画面が表示された時点では、まだどのレストランにも誰もアクセスしていないため、アクセス度数管理表２０６の度数２０７は全てゼロである。このため、表示条件管理表２０８の内容に照らし、アイコン生成部１０５はサイズが小さく、淡い色合いのアイコンを生成して地図２０１上に重畳表示している。
【００２３】
一週間後、端末（Ａ）１０３のディスプレイに同じ範囲の地図２０９を表示し、当該地図の表示範囲に含まれるレストランの位置を重畳表示する。一週間の間に各レストランにはそれぞれアクセスがあったため、一週間後のアクセス度数管理表２１０の度数２１１はそれぞれ数値が増えている。このなかで、特にレストラン３の度数２１２が８０件となっている。このため、表示条件管理表２０８の内容に照らし、レストラン３に対応するアイコンはサイズが大きく、濃い色合いものが生成される。この結果、地図２０９に表示されるレストラン３のアイコン２１３はサイズが大きく、濃い色合いのものとなっている。
【００２４】
本実施例で説明した表示の方法に示すように、ユーザはどのレストランが最も利用度や人気が高いかを、１つの画面を見るだけで手間をかけずに容易に比較，検討することができる。
【００２５】
以下、アクセス度数管理表の構成方法の一実施例について説明する。図３に示すのは、アクセス度数管理表３０１の一構成例である。アクセス度数管理表３０１はオブジェクト名称３０２および累積度数３０３の項目を含む。本実施例では、累積度数３０３の項目に対応するオブジェクトが過去アクセスされた全ての回数を格納する。
【００２６】
本実施例が示す方法でアクセス度数管理表を構成することにより、運用開始以降の全てのアクセス度数が把握できる。この値をもとに生成し表示するアイコンや図形の形状や色彩を変えることで、ユーザはそれぞれのオブジェクトの利用度や人気度を手間をかけず容易に比較，検討することができる。また、インターネット掲示板への書き込みや人気投票では、短期間に情報収集が行われるため、投稿者や投票者が作為的に多量の投稿や投票を行うことで偏った結果に導くことができる。しかし、本実施例が示す方法では、長期にわたりアクセスを繰り返す必要があるため、偏った結果に導かれることが少ないという利点がある。
【００２７】
以下、アクセス度数管理表の構成方法の他の実施例について説明する。図４に示すのは、アクセス度数管理表４０１の一構成例である。アクセス度数管理表４０１はオブジェクト名称４０２および過去Ｎ日間それぞれのアクセス度数である１日前度数４０３，２日前度数４０４，・・・，Ｎ日前度数４０５の項目を含む。
【００２８】
本実施例が示す方法でアクセス度数管理表を構成することにより、それぞれのオブジェクトに直近のＮ日間でどれだけアクセスがあったかを管理できる。この値をもとに生成し表示するアイコンや図形の形状や色彩を変えることで、ユーザは現時点におけるそれぞれのオブジェクトの利用度や人気度を手間をかけず容易に比較，検討することができる。これにより、例えばオブジェクトがあらわす公共施設や店舗等が期間限定セールスやキャンペーン等のイベントを行っている場合、直近の利用度や人気度を手間をかけず容易に理解し、比較できる。また、過去に利用度や人気度が高くても、現在では利用度や人気度が下がっているような公共施設や店舗等のオブジェクトを把握するのに役立つ。つまり、公共施設や店舗等の利用度や人気度をリアルタイムに把握することができるため、時々しか行われないインターネット掲示板書き込みや人気投票の結果では得られない生の情報が得られる利点がある。
【００２９】
図３の実施例と図４の実施例とは組み合わせて用いることもできる。すなわち、例として、累積度数３０３の値はアイコンや図形の形状に対応させ、過去Ｎ日間のアクセス度数はアイコンや図形の色彩に対応させることができる。これにより、長期的には利用度や人気度は低くても最近ホットスポットになっている公共施設や店舗等のオブジェクトを、手間をかけず容易に把握することができる。
【００３０】
以下、本発明でサービスを行う場合の一実施例を説明する。図５は、ユーザ管理部５０１とアカウント管理５０２を持つ地理情報システム１０１である。アカウント管理５０２は、本地理情報システム１０１の利用者が、登録済みの会員ユーザか、登録していない一般ユーザかを管理する。また、会員ユーザの場合はあわせて会費の管理も行う。
【００３１】
本地理情報システム１０１の利用者が会員ユーザの場合は、公共施設や店舗等のオブジェクトのアクセス度数に応じて形状や色彩を変化させたアイコンや図形を生成し、表示する。一般ユーザの場合は、公共施設や店舗等のオブジェクトのアクセス度数に関わりなく、同じ形状や色彩のアイコンや図形を生成し、表示する。これにより、本地理情報システム１０１の利用者は、会費を払って会員ユーザとなることで、公共施設や店舗等のオブジェクトの利用度や人気度の情報を手間をかけず容易に得ることができ、一般ユーザとは異なる利益を得ることができる。
【００３２】
以下、本発明でサービスを行う別の実施例を説明する。図５は、ユーザ管理部５０１とアカウント管理５０２を持つ地理情報システム１０１である。アカウント管理５０２は、本地理情報システム１０１に登録されている公共施設や店舗等のオブジェクトの運用者が、登録済みの会員ユーザか、登録していない一般ユーザかを管理する。また、会員ユーザの場合はあわせて会費の管理も行う。
【００３３】
本地理情報システム１０１が表示する公共施設や店舗等のオブジェクトの運用者が会員ユーザの場合は、公共施設や店舗等のオブジェクトのアクセス度数に応じて形状や色彩を変化させたアイコンや図形を生成し、表示する。一般ユーザの場合は、公共施設や店舗等のオブジェクトのアクセス度数に関わりなく、同じ形状や色彩のアイコンや図形を生成し、表示する。これにより、本地理情報システム１０１に登録されている公共施設や店舗等のオブジェクトの運用者は、会費を払って会員ユーザとなることで、公共施設や店舗等のオブジェクトの利用度や人気度の情報を、本地理情報システム１０１の利用者に容易に提供することができる。これにより、公共施設や店舗等の利用度や人気度の高さをアピールすることができ、さらなる利用者の獲得に有益となり、ビジネスの推進に有効となる。
【００３４】
サービスとして、地理的位置が識別できるようにオブジェクト（地籍的構造物）の特質を象徴的に示すアイコン（象徴的図形）の電子的情報を通信回線を介して提供し、要求に応じてオブジェクト（地籍的構造物）に関する電子的情報を通信回線を介して提供し、アイコン（象徴的図形）の視覚的な形態についてはアイコン（象徴的図形）が特定された頻度に応じて変化させて表示するよう電子的情報を通信回線を介して提供することとして良い。
【００３５】
以上のとおり、実施例では、以下の効果が得られる。
（１）ユーザが利用する公共施設や店舗等のオブジェクトを選択する際には、当該オブジェクトがどれだけ他の人に利用されているか、人気があるかの情報も重要な要素になる。従来の技術では、利用する公共施設や店舗等のオブジェクトを決定するために、ユーザが複数の情報ソースに手間をかけてアクセスしている。しかし、本発明により、ユーザは他の情報ソースを用いなくとも、１つの画面を見るだけで、それらの情報を手間をかけずに容易に理解し、比較することが可能になる。
（２）従来行われているインターネット掲示板への書き込みや人気投票などの方法では、短期間に情報収集が行われるため、投稿者や投票者が作為的に多量の投稿や投票を行うことで偏った結果に導くことができる。しかし、本発明による方法では、長期にわたりアクセスを繰り返す必要があるため、偏った結果に導かれることが少ないという利点がある。
（３）従来行われているインターネット掲示板への書き込みや人気投票などの方法では、時間が経つと現在の利用度や人気度が正しく反映されなくなる。しかし、本発明による方法では、リアルタイムの情報が得られる利点がある。
（４）本発明による方法では、会員制を採用することにより、利用度や人気度を手間をかけずに容易に理解し、比較できることをユーザサービスの差別化要素とすることができる。
（５）本発明による方法では、会員制を採用することにより、利用度や人気度のアピールを各公共施設や店舗の差別化要素とするサービスを提供することができる。
【００３６】
さらなる効果としては、以下がある。
（１）ユーザのアクセスが容易に公共施設や店舗等のオブジェクトの利用度や人気度として集計され、アイコンや図形の形状や色彩として視覚的に明らかに理解できる。これにより、地域の商店などが、他の公共施設や店舗等のオブジェクトとの差別化を図ることを期待して情報を発信することを促し、また一般利用者の参加を促し、結果として地域の情報化，地域の活性化を図ることに貢献できる。
（２）公共施設や店舗等のオブジェクトの利用度や人気度がリアルタイムで把握でき、同時にリアルタイムでユーザに情報提供できる。本発明を用いた地理情報システムを構築することで、生の情報を表現した生きた地図を実現することができ、行政と地域のコミュニケーションインフラとして地理情報システムを有効に利用することができる。
【００３７】
【発明の効果】
以上説明した通り、本発明によれば、施設の人気等の情報が視覚的に認識可能となる。
【図面の簡単な説明】
【図１】本発明の一実施例を示すシステム構成図である。
【図２】本発明の実施例を示す画面表示例である。
【図３】本発明の実施例を示すアクセス度数管理表例である。
【図４】本発明の実施例を示す他のアクセス度数管理表例である。
【図５】本発明の実施例を示す有料サービス提供のためのシステム構成図である。
【符号の説明】
１０２…地図表示部、１０３，１１３…端末、１０４…オブジェクト管理部、１０５…アイコン生成部、１０６…表示条件管理表、１０７，１１４…アクセス機器、１０８…アクセスカウンタ、１０９…アクセス度数管理表。
【図１】
2004347634.tif 000003
【図２】
2004347634.tif 000004
【図３】
2004347634.tif 000005
【図４】
2004347634.tif 000006
【図５】
2004347634.tif 000007